(57)【要約】【課題】  ユーザの録画忘れを防止する放送記録装置を提供する。【解決手段】  放送信号を受信しこれを復調して複数の放送コンテンツを出力するチューナ部と、前記チューナ部からの前記複数の放送コンテンツを記録する記録部と、前記複数の放送コンテンツの内の一つの録画予約情報に基づいて、複数の放送コンテンツからこの放送コンテンツに関連する複数の放送コンテンツに対して前記記録部が外部からの設定に基づいて記録する放送コンテンツとは別に自動録画設定するべく制御する制御部と、前記自動録画設定がされた放送コンテンツを前記記憶部の一時保存領域に録画する予約録画部とを具備することを特徴とする放送記録装置。【選択図】      図６
2008011207.tif 000002
【特許請求の範囲】
【請求項１】
放送信号を受信しこれを復調して放送コンテンツを出力するチューナ部と、
前記チューナ部からの前記放送コンテンツを記録する記録部と、
前記放送コンテンツの過去の録画予約情報に基づいて、この放送コンテンツに関連する以後の放送コンテンツに対して前記録画予約が現在未設定であっても自動録画設定するべく制御する制御部と、
前記自動録画設定がされた放送コンテンツを前記記憶部内に設けられた一時保存領域に録画する予約録画部とを
具備することを特徴とする放送記録装置。
【請求項２】
録画予約が現在設定されている場合は当該録画予約に基づいて前記憶部内に設けられた通常録画領域へ録画することを前記一時保存領域への録画よりも優先することを特徴とする請求項１記載の放送記録装置。
【請求項３】
前記制御部は、前記録画予約情報に関わるコンテンツが特定の放送ジャンルのコンテンツであることを識別した場合に限り、この放送コンテンツに関連する以後の放送コンテンツに対して前記記録部が外部からの設定に基づいて記録する放送コンテンツとは別に自動録画設定するべく制御することを特徴とする請求項１記載の放送記録装置。
【請求項４】
前記制御部は、チューナ部により復調されたコンテンツと前記自動録画設定された放送コンテンツとが、タイトル、録画曜日、録画時間、録画チャンネルがそれぞれ共通している場合、前記関連コンテンツであると判断することを特徴とする請求項１記載の放送記録装置。
【請求項５】
前記制御部は、前記自動録画設定方法として複数の放送コンテンツの録画頻度に基づいて自動録画設定の可否を判断することを特徴とする請求項１記載の放送記録装置。
【請求項６】
前記制御部は、前記自動録画設定方法として前記特定の放送ジャンルの複数の放送コンテンツの録画頻度に基づいて自動録画設定の可否を判断することを特徴とする請求項１記載の放送記録装置。
【発明の詳細な説明】
【技術分野】
【０００１】
本発明は、放送コンテンツを記録する放送記録装置に関し、特にユーザの録画忘れを防止する放送記録装置に関する。
【背景技術】
【０００２】
最近、デジタル機器の普及と共にハードディスクレコーダ等の放送を受信し記録する言わば放送記録装置が一般化しつつあり、従来のＶＴＲ（Video Tape Recorder）による記録再生処理の場合よりも、多くの映像情報を容易に記録・再生することが可能となってきている。このような放送記録装置においては、簡易な操作によって予約録画等が可能となるが、他方でユーザの録画忘れを防止することが充分でないことがある。
【０００３】
特許文献１には、このような状況に対して、例えば、特定の番組を再生する際に、その番組の次回の番組の録画を自動的に行う設定がなされるという記録装置が開示されている。
【０００４】
しかし、特許文献１の装置においては、既に録画された番組については次回の番組の録画のための情報が装置で取得できたとしても、未録画の連続番組については、急に別の番組が組まれた場合など、次回の番組の録画を行えないという問題がある。やはりまだユーザの番組の録画忘れを防止することが充分でないという状況も発生しうる。
【特許文献１】特開２００４−１２０４０８号公報
【発明の開示】
【発明が解決しようとする課題】
【０００５】
そこで、この発明は、ユーザの録画忘れを防止する放送記録装置を提供することを目的とする。
【課題を解決するための手段】
【０００６】
この発明に係る放送記録装置は、放送信号を受信しこれを復調して複数の放送コンテンツを出力するチューナ部と、前記チューナ部からの前記複数の放送コンテンツを記録する記録部と、前記複数の放送コンテンツの内の一つの録画予約情報に基づいて、複数の放送コンテンツからこの放送コンテンツに関連する複数の放送コンテンツに対して前記記録部が外部からの設定に基づいて記録する放送コンテンツとは別に自動録画設定するべく制御する制御部と、前記自動録画設定がされた放送コンテンツを前記記憶部の一時保存領域に録画する予約録画部とを具備することを特徴とする放送記録装置である。
【発明の効果】
【０００７】
本発明によれば、ユーザの録画忘れを防止する放送記録装置が得られる。
【発明を実施するための最良の形態】
【０００８】
以下、本発明の実施例を説明する。
【実施例１】
【０００９】
本発明による実施例１を図１乃至図８を参照して説明する。
図１は、本発明の一実施形態に係る放送記録装置の構成の一例を示すブロック図である。図１の放送記録装置１０は構成の一例として、チューナ等をソースとして記録機能を有するデジタルテレビジョンである。しかしながら、チューナ等と記録機能とをもったハードディスクレコーダも同様に好適である。
【００１０】
従って、以下の図１を用いた実施形態の説明においては、記録機能をもったデジタルテレビジョンとして詳細に説明を行なうが、図１からディスプレイ２６を分離することで、全く同様の機能をもったハードディスクレコーダとしての説明と解釈することが可能である。
【００１１】
図１において、デジタルテレビジョンである放送記録装置１０は、２種類のディスクドライブを有する。第1のメディアとしてハードディスクＨを駆動するハードディスクドライブ部１８と、第２のメディアとしてビデオファイルを構築できる情報記録媒体である光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１２】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３のバッファ部２２、多重化部２８、分離部２９、関連コンテンツ制御部４２、予約録画部・番組表生成部５６を有している。これらの各部は、データバスＢを介して制御部３０に接続されている。更に、セレクタ１７の出力は、ディスプレイ２６に供給されるか、外部装置との通信を行うインタフェース部２７を介して、外部装置に供給される。
【００１３】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。図２は、放送記録装置を操作するための図１リモコンＲの一例を示す外観図である。
【００１４】
図３は、放送記録装置の図１の構成の部分ブロック図である。予約録画部・番組表生成部５６の詳細を表している。
予約録画部・番組表生成部５６においては、録画を実現する大きな録画制御部として、予約番組録画制御部５６ａと、一時保存録画制御部５６ｂがある。予約録画部・番組表生成部５６は、予約番組録画制御部５６ａによる録画番組を予め予約して記録媒体に記録する機能と、後述するように一時保存録画制御部５６ｂによって実行される録画忘れ防止機能「録り忘れ録画機能」を有する。予約番組録画制御部５６ａも、一時保存録画制御部５６ｂもタイマーを参照する。予約番組録画制御部５６ａは、電子番組表を用いて作成される録画予約情報が参照されて、予約番組の自動録画を実現するための制御部である。一方、一時保存録画制御部５６ｂは、録り忘れ録画機能が実施されることにより、放送番組の一時保存録画を実現するための制御部である。
【００１５】
一時保存録画制御部５６ｂは、さらにその機能ブロックを分類すると、映像出力制御部５６ｂ１がある。この映像出力制御部５６ｂ１は、装置の操作状態及び動作状況に応じて、ユーザが現在の動作状態を認識しやすいように画面の内容をコントロールするものである。録画動作制御部５６ｂ２は、録り忘れ録画機能が制御部３０から指示されたときに、一時保存録画を実現するための制御部である。さらに、再生動作制御部５６ｂ３は、一時保存録画されたコンテンツを再生する場合、追っかけ再生、或いは早送り再生、或いはスキップ再生を実現するための制御部である。
【００１６】
予約録画部・番組表生成部５６には、操作入力判別部５６ｄが設けられている。この操作入力判別部５６ｄからの判別結果に応じて、一時保存録画制御部５６ｂの動作が決定されることは当然である。
【００１７】
図４は、一時保存録画制御部５６ｂの制御の元で実行される動作及び機能をフローチャートとして示している。まず一時保存録画領域が確保される（ステップＳａ１）。この一時保存録画領域は、例えばハードディスクＨに確保される。一時保存領域を確保する時期は、ユーザが一時保存領域の大きさを時間単位で３０分、１時間、２時間等にメニューを用いて対話的に選択指定をしたときでもよいし、それ以前に確保されていてもよい（ステップＳａ1）。次に、制御部３０からの一時保存録画指示があったかどうかの判定を行い（ステップＳａ2）、一時保存録画指示があったときは、一時保存録画動作に移行する（ステップＳａ３）。ここでは、一時保存録画領域の先頭から順次録画を行い、一時保存録画領域が満たされたならば、録画を停止する。一時保存録画中において、予め指示された所定時間経過したかどうかの判定を行う（ステップＳａ４）。所定時間経過した場合には、一時保存録画の停止処理を行う（ステップＳａ５）。なお、予め指示された所定時間とは、以下に述べる方法で録り忘れ録画機能を実施する対象の番組の録画に必要な時間である。
【００１８】
まず一般的な記録処理時の動作について説明する。放送記録装置１０の入力側として、ＬＡＮ等の通信部１１は、外部機器と接続して、例えばモデム等を介しインターネット等の通信路を経由して番組情報提供サーバ等と通信を行ったり、放送コンテンツ等をダウンロードしたりする。又、ＢＳ／ＣＳデジタル／アナログチューナ部１２、地上波デジタル／アナログチューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波放送のチューナ部や、ＢＳ／ＣＳチューナ部を２つ又は３つ以上を有し、予約録画の要求に応じて平行して機能させる場合も含んでいる。又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。又、ＢＳ／ＣＳアナログ／デジタルチューナ１２等は、必ずしも内蔵されている必要はなく、データ入力端子を介して外付けされて、受信したデジタル信号をセレクタ部１６を介してエンコーダ部２１や制御部３０に供給することも好適である。
【００１９】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクＨ、又は、光ディスクＤに記録することができる。又、ハードディスクＨや光ディスクＤに記録された情報を、制御部３０、光ディスクドライブ部１９を介して光ディスクＤやハードディスクドライブ部１８を介してハードディスクＨに記録することもできる。
【００２０】
信号編集部２０により、ハードディスクドライブ部１８や光ディスクＤに記録されている複数番組のビデオ・オブジェクトを、一部削除したり、異なる番組のオブジェクトをつなげたり、といった編集処理を行うこともできる。
【００２１】
次に予約録画処理を説明すると、通信部１１やチューナ１２，１３から取得した電子番組情報に基づいて、予約録画部・番組表生成部５６によりユーザのリモコンＲ等の操作により特定した番組に応じて、録画予約処理が可能であると共に、取得した電子番組情報に基づく番組表を画面表示することが可能となる。又、予約された予約録画情報に基づいて、制御部３０及び予約録画部・番組表生成部５６の働きにより、予約時刻になると、ＢＳ／ＣＳデジタル／アナログチューナ部１２又は地上波デジタル／アナログチューナ部１３が受信した番組情報が復調された映像音声信号が、エンコーダ２１等のエンコード処理を経て、例えば、ハードディスク部Ｈに記録（予約録画）される。この実施形態の放送記録装置１０は、このように総合的な機能を有しており、複数のソースに対して光ディスクＤ又はハードディスク部Ｈによる記録・再生処理を行うものである。
【００２２】
次に、上記を踏まえて本発明の一実施形態である録り忘れ録画機能に関するリスト表示について、図面を用いて詳細に説明する。ここで、放送コンテンツのリスト表示機能とは、再生しようとする放送コンテンツに対して、保有する複数の放送コンテンツの中にこれから再生しようとする放送コンテンツに関連の放送コンテンツがあるか、具体的には、放送コンテンツが第５回のドラマであるとき、保有する複数の放送コンテンツの中に他の回のドラマの放送コンテンツが存在するかどうかを判断し、存在していれば、この関連放送コンテンツのリスト表示を行い、ユーザの指示を待つものである。
【００２３】
以下、画面表示を表す図５，７，８と図６のフローチャートとを用いてその動作を説明する。本発明の一実施形態であるデジタルテレビジョンである放送記録装置１０（前述のように、ハードディスクレコーダと考えることも可能）は、通信部１１等から取得した電子番組情報に基づいて、予約録画部・番組表生成部５６により、非常に多くの放送コンテンツを自動的に予約録画することが可能であるが、ユーザがどの番組が録画されるか十分に把握できていない状態である場合が考えられる。
【００２４】
このような状態でユーザは、放送コンテンツを録画するべく、図５に示すような録画予約コンテンツリストをディスプレイ２６に表示するべく、図２のリモコンＲや操作部３２の操作を行なうことはできる。最上行Ｐ５で示すのはある通常毎週１回放送される連続ドラマである。この図で斜線がかかっているのは放送時間が近づいていることを、また左の列にチェックが入っていないのは今は録画予約状態にはないことを示している。
【００２５】
ユーザが予めある番組を録画予約したとする。このとき通常は予約状態設定として規定値として実際予約するというチェックマークが入るが、その時点又は後にチェックマークをはずしたりまた付けたりすることができる。その番組コンテンツのジャンル、題名、曜日、時間といった予約情報については予約録画部・番組表生成部５６の不揮発性メモリ５９に記憶される。その後この記憶しているコンテンツの放送時間が近づいた時点に録画予約状態に設定されているか判定される（図６、ステップＳ１１）。録画予約状態と判定されると通常のコンテンツ録画を行い（ステップＳ１２）、関連処理は終了となる。
【００２６】
他方、図５のＰ５のような場合は録画予約状態でないと判定されまず録画に必要なリソースが確保できるか判断する（ステップＳ１１a）。近年複数のチューナ、エンコーダ等を備えた機器も多く１組のリソースでユーザが設定した録画実施や録画準備をしていたとしても、他の１組のリソースが用いられる場合も多いが、ユーザが指定した録画実施や準備が優先でありそれによりリソースが確保できなければ関連処理は終了となる。リソースが確保できる場合には取り忘れ用領域を使用し録画を実施する（ステップＳ１３）。この後ユーザが何かの操作を行なったときにユーザに通知し（ステップＳ１４）再生または保存の選択を促す。次にユーザの再生または保存の指示の入力を待ち内容を判定する（ステップＳ１５）。
【００２７】
まず再生指示なしの場合は更に保存指示を判定する（ステップＳ１６）。保存指示がない場合は取り忘れ用領域のコンテンツを消去して（ステップＳ１７）関連処理は終了となり（ステップＳ１２）、保存指示がある場合は取り忘れ用領域のコンテンツを通常使用する領域に移し（ステップＳ１８）ステップＳ１７へ行く。
【００２８】
他方再生指示ありの場合はコンテンツの再生を開始し（ステップＳ１９）停止または終了後にステップＳ１７へ行く。ここで実線矢印に従いステップＳ１７へ行く代わりに破線矢印のようにステップＳ１６へ行くようなフローとしてもよい。
【００２９】
もし番組予約一覧を表示していると予約録画部・番組表生成部５６の不揮発性メモリ５９に記憶している放送コンテンツの予約情報を取得しこれらに基づき表示信号を生成して音声映像処理部２４に供給することでディスプレイ２６には、図５に示すような録画予約コンテンツリストを表示される。この録画予約コンテンツリストは、予約に関する放送コンテンツの一部を画面表示しているだけに過ぎず、ユーザは、他にどれだけの予約すべき放送コンテンツがあるかを十分理解することができない。
【００３０】
ここで図５のような番組予約一覧の表示に代わり番組リストグループの表示をした例を図７に示す。図５のＰ５に相当するドラマ『北の村人（第５回）』（斜線部）に関して第１回からの表示である。『北の村人（第１回）』乃至『北の村人（第８回）』Ｐ１乃至Ｐ８が画面にリスト表示されるものである。ここでは、どの回についても予約がされなかったものとして、そのため他の続く回にも予約がされることはない。ここで、ある放送コンテンツと他の放送コンテンツとの関連性の判断の基準であるが、一例として、「タイトル」、「録画曜日」、「録画時間」、「録画チャンネル」のそれぞれが全て一致していることが好適である。しかしながら、これらのうちの３つまで共通している等の多少の変形が同様に好適である。
【００３１】
他方図８は、まず第１回（Ｐ1）がユーザに予約され第２回（Ｐ2）が近づいた例である。第１回が予約されたことにより予約録画部・番組表生成部５６では第２回にも予約を入れた状態である。この後第３回から最終回まで放送が近づくと予約が入れられることになる。
【００３２】
上記は、制御部３０が関連コンテンツ制御部４２と共同して、この放送コンテンツの放送ジャンルを識別し、これが予め指定された所定ジャンルである『ドラマ』であることを認識したものであるが、ユーザのリモコンＲ等による操作によって、『スポーツ』等の特異のジャンルが追加設定されてもよい。例えばサッカーの番組が『ドラマ』のジャンルに入る番組のように毎週同時刻に連続性をもって放送されることは少なくても、題名中にサッカーという言葉を含む番組をユーザがよく録画していれば自動録画の対象としてもよい。この方法は例えば、『スポーツ』ジャンルの中でユーザの録画頻度をサッカー、野球、等の種類毎に積算し頻度の上位３種までは自動録画するといったものである。ジャンルの追加設定とは関わらず全てのジャンルを通して頻度を取って行ってもよいし、またジャンルに対して頻度を取って行ってもよいし、それらの組合せもあり得る。
【００３３】
又、ここで、放送コンテンツの放送ジャンルとは、上述した電子番組情報から自動的に取得した管理情報であることが好適である。又、放送コンテンツの放送ジャンルは、少なくとも『ドラマ』であることが好適であるが、必ずしもドラマに限らず、例えば、『アニメーション』等の連続性のある放送ジャンルであることが好ましい。しかし、又、ユーザの操作によって、ジャンル指定を解除することも好適である。
【００３４】
図９は、録画予約関連フローチャートである。ユーザが一旦コンテンツを録画予約すると機器はそのコンテンツに関し録画予約状態となる。次に上記のようにコンテンツの情報が伝えられ記憶される。
【００３５】
上記ようにすれば急に別の番組が組まれた場合、或いはたまたま録画予約状態に戻すことを忘れていた場合、例えばユーザに見える通常使用の録画領域の空きが少ない状態等により連続番組を在宅時は視聴し他の時は録画し後に視聴し消去する行動をユーザがとるケースにおいても録画忘れを防止できる。
【００３６】
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３７】
【図１】本発明の一実施形態に係る放送記録装置の構成の一例を示すブロック図。
【図２】同じく放送記録装置を操作するためのリモコン装置の一例を示す外観図。
【図３】図１の構成の部分ブロック図。
【図４】一時保存録画制御部５６ｂの制御関連フローチャート。
【図５】放送記録装置が保有している放送コンテンツのリスト表示の一例を示す説明図。
【図６】同じく放送記録装置が行なうリスト表示処理の一例を示すフローチャート。
【図７】同じく放送記録装置が保有している放送コンテンツのリスト表示の一例を示す説明図。
【図８】同じく放送記録装置が保有している放送コンテンツのリスト表示の一例を示す説明図。
【図９】録画予約関連フローチャート。
【符号の説明】
【００３８】
１１…通信部、１２…ＢＳ／ＣＳデジタル／アナログチューナ部、１３…地上波デジタル／アナログチューナ部、１９…光ディスクドライブ部、２０…信号編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４２…関連コンテンツ制御部、５６…予約録画部・番組表生成部、５７…ＲＯＭ、５８…ＲＡＭ、５９…不揮発性メモリ。
【図１】
2008011207.tif 000003
【図２】
2008011207.tif 000004
【図３】
2008011207.tif 000005
【図４】
2008011207.tif 000006
【図５】
2008011207.tif 000007
【図６】
2008011207.tif 000008
【図７】
2008011207.tif 000009
【図８】
2008011207.tif 000010
【図９】
2008011207.tif 000011